(57)【要約】  波長分割多重光伝送装置１００は、自モジュールの製品情報である光モジュール情報を保持するクライアント側ＳＦＰ１２ａ〜１２ｄおよびクライアント側ＳＦＰ１２ａ〜１２ｄを実装可能な光伝送装置である。この波長分割多重光伝送装置１００は、クライアント側ＳＦＰ１２ａ〜１２ｄおよびクライアント側ＳＦＰ１２ａ〜１２ｄから光モジュール情報を取得する制御部と、制御部からの指示により光モジュール情報を表示するクライアント側ＳＦＰ用表示部１６ａ〜１６ｄおよび伝送路側ＳＦＰ用表示部１８ａ〜１８ｄとを備える。
2011096020.tif 000002
【特許請求の範囲】
【請求項１】
自モジュールの製品情報である光モジュール情報を保持する光モジュールを実装可能な光伝送装置であって、
前記光モジュールから光モジュール情報を取得する制御部と、
前記制御部からの指示により光モジュール情報を表示する表示部と、
を備えることを特徴とする光伝送装置。
【請求項２】
前記表示部は、７セグメント表示器であることを特徴とする請求項１に記載の光伝送装置。
【請求項３】
前記表示部は、液晶表示器であることを特徴とする請求項１に記載の光伝送装置。
【請求項４】
前記表示部は、ＬＥＤインジケータであることを特徴とする請求項１に記載の光伝送装置。
【請求項５】
前記光モジュールが挿入されるスロットを有する光インタフェース装置を備え、
前記表示部が前記光インタフェース装置に設けられたことを特徴とする請求項１から４のいずれかに記載の光伝送装置。
【請求項６】
光信号の波長多重および波長分離を行う光波長多重分離装置を備え、
前記表示部が前記波長多重分離装置に設けられたことを特徴とする請求項１から５のいずれかに記載の光伝送装置。
【請求項７】
当該光伝送装置の監視制御を行う監視制御装置を備え、
前記表示部が前記監視制御装置に設けられたことを特徴とする請求項１から６のいずれかに記載の光伝送装置。
【請求項８】
当該光伝送装置に実装されるべき光モジュールの光モジュール情報を予め記憶する記憶部をさらに備え、
前記制御部は、前記光モジュールより取得した光モジュール情報と前記記憶部に記憶された光モジュール情報とを比較し、両者が一致した場合に前記表示部に光モジュール情報の表示させることを特徴とする請求項１から７のいずれかに記載の光伝送装置。
【請求項９】
前記制御部により取得された光モジュール情報を記憶する記憶部をさらに備え、
前記制御部は、前記記憶部に記憶された光モジュール情報に基づいて前記表示部に光モジュール情報を表示させることを特徴とする請求項１から７のいずれかに記載の光伝送装置。
【発明の詳細な説明】
【技術分野】
【０００１】
本発明は、光伝送装置に関し、特に挿抜可能な光モジュールを用いた光伝送装置に関する。
【背景技術】
【０００２】
ＳＯＮＥＴ(Synchronous Optical NETwork)、ＳＤＨ(Synchronous Digital Hierarchy)、ＷＤＭ(Wavelength Division Multiplexing)等に代表される基幹系の光伝送装置で使用されている光送受信器（光モジュール）は、これまで開発メーカ各社が独自の構造、インタフェ−スを用いて開発された汎用性の無いものであった。こういった状況を背景に、近年コストメリットや光モジュール業界の活性化を目的とし光モジュール業界の団体規格であるＭＳＡ（Multi Source Agreement）が制定され、構造、インターフェースなどを規定化した汎用性のある光モジュールが一般化されてきた。これら規格の光モジュール（ＭＳＡモジュール）の中では、ＳＦＰ（Small Form Factor Pluggable）やＸＦＰ（10 Gigabit Small Form Factor Pluggable）といった挿抜可能（プラガブル）な構造の物が主流となってきている（例えば特許文献１参照）。このようなプラガブル光モジュールを用いることにより、ネットワーク管理者は、伝送距離や波長の変更に対してフレキシブルに対応することができる。【０００３】
ところで、このようなプラガブル光モジュールには通常、ベンダ（製造者）コード、製造日、シリアルナンバー、波長など、保守に必要となる情報（以下、適宜「光モジュール情報」と称する）が書き込まれている。これらの光モジュール情報は、専用のソフトウェアで読み出すことができるようになっている。ネットワーク管理者は、読み出された光モジュール情報を参照することにより、例えば設定と異なる光モジュールが実装されていないか等を検査することができる。
【先行技術文献】
【特許文献】
【０００４】
【特許文献１】特開２００７−９６６４０号公報
【発明の概要】
【発明が解決しようとする課題】
【０００５】
しかしながら、プラガブル光モジュールの仕様を確認する都度ソフトウェアで光モジュール情報を読み出すのは煩わしい作業である。例えば、複数の光モジュールの中からある波長の光モジュールを交換する場合、所定の端末を操作しながらどのスロットに挿入されている光モジュールが交換すべき光モジュールなのか探し出さなければならないなど、保守性の点において改善の余地がある。【０００６】
光モジュールの仕様を視覚的に認識できれば保守性を改善することができるが、ＳＦＰやＸＦＰなどのプラガブル光モジュールは異なる仕様のものが同一形状であり、仕様を表示できる部位が小さい。また、使用状態においては光モジュール本体の殆どの部分がスロット内に収容されているため、光モジュール本体に仕様を表示するには限界がある。【０００７】
また、従来においては、光モジュールの仕様を視覚的に認識するために、光モジュールに接続する光コードの色を波長ごとに変えたり、光モジュールに波長に対応した色シールを貼り付けるなどのマニュアル的な方法が行われる場合もあった。このような方法の場合、初期作業時点でミスがあった場合には確認が難しい。また、波長数が８波など少ない場合には色による仕様の識別が可能かもしれないが、１６波や３２波など波長数が多くなった場合には、色による仕様の識別は非常に難しくなる。【０００８】
本発明はこうした状況に鑑みてなされたものであり、その目的は、保守性を向上することのできる光伝送装置を提供することにある。
【課題を解決するための手段】
【０００９】
上記課題を解決するために、本発明のある態様の光伝送装置は、自モジュールの製品情報である光モジュール情報を保持する光モジュールを実装可能な光伝送装置であって、光モジュールから光モジュール情報を取得する制御部と、制御部からの指示により光モジュール情報を表示する表示部とを備える。【００１０】
この態様によると、実装された光モジュールの光モジュール情報を視覚的に認識することができる。これにより、光モジュールの交換等が容易となったり、光モジュールの誤実装を回避できるなど、光伝送装置の保守性を向上することができる。
【発明の効果】
【００１１】
本発明によれば、保守性を向上することのできる光伝送装置を提供できる。
【図面の簡単な説明】
【００１２】
【図１】本発明の実施形態に係る波長分割多重光伝送装置の機能ブロック図である。
【図２】本実施形態に係る波長分割多重光伝送装置の前面を示す図である。
【図３】本実施形態に係る波長分割多重光伝送装置の構成をより詳細に説明するための機能ブロック図である。
【発明を実施するための形態】
【００１３】
以下、本発明の実施形態について図面を参照しながら説明する。
【００１４】
図１は、本発明の実施形態に係る波長分割多重光伝送装置１００の機能ブロック図である。図１に示すように、波長分割多重光伝送装置１００は、４つの光インタフェース装置１０ａ〜１０ｄと、光波長多重分離装置（ＭＬＤＸ）２０と、監視制御装置３０とを備える。
【００１５】
光インタフェース装置１０ａ〜１０ｄは、プラガブル光モジュールに対応した光インタフェース装置であり、それぞれクライアント側ＳＦＰ（Small Form Factor Pluggable）１２ａ〜１２ｄと、伝送路側ＳＦＰ１４ａ〜１４ｄとが挿入されている。
【００１６】
クライアント側ＳＦＰ１２ａ〜１２ｄは、光インタフェース装置に挿抜可能なプラガブル光モジュールであり、光信号と電気信号とを相互に変換する機能を有する。具体的には、クライアント側ＳＦＰ１２ａ〜１２ｄは、クライアント回線から光信号を入力された場合に、電気信号に変換して、ＣＤＲ（Clock Data Recovery）回路やＳＥＲＤＥＳ（SERializer/DESerializer）回路等を有するトランシーバ（図示せず）へ出力する。また、クライアント側ＳＦＰ１２ａ〜１２ｄは、トランシーバから電気信号を入力された場合に、光信号に変換してクライアント回線へ送信する。
【００１７】
トランシーバからの電気信号は、フレーム処理部（図示せず）に入力される。フレーム処理部は、トランシーバから電気信号が入力された場合、データを固定長に分割し、制御情報などを付加してフレーム構成を組む処理を行う。また、フレーム処理部は、伝送路側ＳＦＰ１４ａ〜１４ｄから電気信号を入力された場合に、フレーム構成を組まれたデータからフレームを外す処理などのオーバーヘッド処理を行い、トランシーバに出力する。
【００１８】
伝送路側ＳＦＰ１４ａ〜１４ｄは、フレーム処理部から電気信号を入力された場合に、それぞれ異なる波長λ１〜λ４の光信号に変換して、ＭＬＤＸ２０へ出力する。また、伝送路側ＳＦＰ１４ａ〜１４ｄは、ＭＬＤＸ２０からそれぞれ波長λ１〜λ４の光信号を入力された場合に、電気信号に変換してフレーム処理部へ出力する。
【００１９】
ＭＬＤＸ２０は、光信号の多重処理や分離処理を行う機能を有する。ＭＬＤＸ２０は、伝送路側ＳＦＰ１４ａ〜１４ｄから入力された波長λ１〜λ４の光信号を多重してＷＤＭ伝送路に出力する。また、ＭＬＤＸ２０は、ＷＤＭ伝送路から入力された光信号を波長λ１〜λ４の光信号に分離して、分離した光信号をそれぞれ伝送路側ＳＦＰ１４ａ〜１４ｄへ出力する。
【００２０】
監視制御装置３０は、光インタフェース装置１０ａ〜１０ｄ、ＭＬＤＸ２０などの波長分割多重光伝送装置１００内の装置を監視・制御する機能を有する。監視制御装置３０の具体的な構成については後述する。
【００２１】
図２は、本実施形態に係る波長分割多重光伝送装置１００の前面を示す図である。図２に示すように、波長分割多重光伝送装置１００には、上から順に監視制御装置３０、光インタフェース装置１０ａ〜１０ｄ、ＭＬＤＸ２０が並べて設けられている。各装置は、つまみネジ３６により波長分割多重光伝送装置１００の筐体に固定されている。
【００２２】
監視制御装置３０の前面には、外部制御端末を接続するためのＬＡＮコネクタが設けられている。
【００２３】
光インタフェース装置１０ａ〜１０ｄの前面にはそれぞれ、クライアント側ＳＦＰを挿入するためのスロットが設けられている。また、光インタフェース装置１０ａ〜１０ｄの前面にはそれぞれ、伝送路側ＳＦＰを挿入するためのスロットが設けられている。図２には、各スロットに対応するクライアント側ＳＦＰ１２ａ〜１２ｄ、伝送路側ＳＦＰ１４ａ〜１４ｄが挿入された様子が示されている。
【００２４】
さらに本実施形態においては、光インタフェース装置１０ａ〜１０ｄはそれぞれ、クライアント側ＳＦＰ用スロットの上部にクライアント側ＳＦＰ用表示部１６ａ〜１６ｄを備えている。クライアント側ＳＦＰ用表示部１６ａ〜１６ｄはそれぞれ、対応するスロットに挿入されたクライアント側ＳＦＰの光モジュール情報を表示する。ここで、光モジュール情報とは、製造時にＳＦＰの内部メモリに書き込まれた、ベンダコード、製造日、シリアルナンバー、波長などの情報である。
【００２５】
また、光インタフェース装置１０ａ〜１０ｄはそれぞれ、伝送路側ＳＦＰ用スロットの上部に伝送路側ＳＦＰ用表示部１８ａ〜１８ｄを備えている。伝送路側ＳＦＰ用表示部１８ａ〜１８ｄはそれぞれ、対応するスロットに挿入された伝送路側ＳＦＰの光モジュール情報を表示する。
【００２６】
このように各光インタフェース装置がスロットに挿入されたＳＦＰの光モジュール情報を表示する表示部を備えることにより、ネットワーク管理者は、どのスロットにどのような仕様のＳＦＰが挿入されているのか即座に確認することができる。
【００２７】
ＭＬＤＸ２０の前面には、入出力ポート２２ａ〜２２ｄが設けられている。入出力ポート２２ａ〜２２ｄは、それぞれ伝送路側ＳＦＰ１４ａ〜１４ｄと光ファイバにより接続される。入出力ポート２２ａ〜２２ｄには、それぞれ伝送路側ＳＦＰ１４ａ〜１４ｄから波長λ１〜λ４の光信号が入力される。入力された波長λ１〜λ４の光信号は、ＭＬＤＸ２０内の波長多重部（図示せず）により波長多重された後、ＷＤＭ伝送路用ポート２６から出力される。また、ＷＤＭ伝送路用ポート２６から入力されたＷＤＭ光信号は、ＭＬＤＸ２０内の波長分離部（図示せず）により波長λ１〜λ４の光信号に波長分離された後、入出力ポート２２ａ〜２２ｄから伝送路側ＳＦＰ１４ａ〜１４ｄに対して出力される。
【００２８】
さらに本実施形態においては、ＭＬＤＸ２０は、入出力ポート２２ａ〜２２ｄの上部にＭＬＤＸ表示部２４ａ〜２４ｄを備えている。ＭＬＤＸ表示部２４ａ〜２４ｄはそれぞれ、対応する対応する入出力ポートと光ファイバで接続された伝送路側ＳＦＰ１４ａ〜１４ｄの光モジュール情報を表示する。
【００２９】
このようにＭＬＤＸ２０がＭＬＤＸ表示部２４ａ〜２４ｄを備えることにより、ネットワーク管理者は、どの入出力ポートにどの伝送路側ＳＦＰが接続されているのか即座に確認することができる。
【００３０】
クライアント側ＳＦＰ用表示部１６ａ〜１６ｄ、伝送路側ＳＦＰ用表示部１８ａ〜１８ｄ、ＭＬＤＸ表示部２４ａ〜２４は、７セグメント表示器であってよい。この７セグメント表示器は、例えば波長表示を考慮して６桁程度の７セグメント表示器であることが好ましい。また、これらの表示部は、液晶表示器であってもよい。
【００３１】
また、クライアント側ＳＦＰ用表示部１６ａ〜１６ｄ、伝送路側ＳＦＰ用表示部１８ａ〜１８ｄ、ＭＬＤＸ表示部２４ａ〜２４は、ＬＥＤインジケータであってもよい。例えば、装置で使用される波長数分のＬＥＤインジケータを用意しておき、ある波長のＳＦＰが実装された場合に、その波長に対応するＬＥＤインジケータのみを点灯させる。これにより、ネットワーク管理者は、実装されたＳＦＰの光モジュール情報を確認できる。
【００３２】
図３は、波長分割多重光伝送装置１００の構成をより詳細に説明するための機能ブロック図である。なお、ここでは光インタフェース装置１０ａの伝送路側ＳＦＰ用スロットに伝送路側ＳＦＰ１４ａが挿入された場合を例として、波長分割多重光伝送装置１００の構成を説明する。従って、図３には説明に関係する機能ブロックのみを図示しており、例えば光インタフェース装置１０ｂ〜１０ｄ等は図示を省略しているが、これらの光インタフェース装置も光インタフェース装置１０ａと同様に動作する。
【００３３】
図３に示すように、本実施形態の監視制御装置３０は、記憶部３８と、制御部３９と、操作部３７とを備える。
【００３４】
記憶部３８は、各光インタフェース装置に実装されるべきＳＦＰの光モジュール情報を予め記憶している。本実施形態において、記憶部３８に記憶された光モジュール情報は、各光インタフェース装置に実装されるべきＳＦＰの波長である。この光モジュール情報は、制御部３９に接続された外部制御端末４０により記憶部３８に書き込むことができる。
【００３５】
光インタフェース装置１０ａに伝送路側ＳＦＰ１４ａが実装された場合、まず、制御部３９は伝送路側ＳＦＰ１４ａが保持する光モジュール情報を読みにいく。制御部３９が伝送路側ＳＦＰ１４ａから取得する光モジュール情報は、波長、ベンダコード、製造日、シリアルナンバーなどである。その後、制御部３９は、伝送路側ＳＦＰ１４ａから取得した波長と、記憶部３８に予め記憶された波長とを比較する。波長が一致した場合、制御部３９は、光インタフェース装置１０ａの伝送路側ＳＦＰ用表示部１８ａに波長を表示させる。例えば伝送路側ＳＦＰ１４ａの波長が１５１０ｎｍであれば、伝送路側ＳＦＰ用表示部１８ａに「１５１０ｎｍ」と表示させる。波長が一致しない場合、制御部３９は伝送路側ＳＦＰ用表示部１８ａに何も表示しないか、または「エラー」などと表示する。これにより、ネットワーク管理者に誤ったＳＦＰを実装したことを認識させることができる。
【００３６】
制御部３９は、例えばネットワーク管理者による操作部３７の操作により、取得した波長以外の光モジュール情報を伝送路側ＳＦＰ用表示部１８ａに表示させる。例えば、制御部３９は、ネットワーク管理者が操作部３７としてのボタンを押すごとに、波長、ベンダコード、製造番号・・・などのようにサイクリックに伝送路側ＳＦＰ１４ａの光モジュール情報を伝送路側ＳＦＰ用表示部１８ａに表示させる。
【００３７】
また、制御部３９は、伝送路側ＳＦＰ１４ａと光ファイバにより接続された入出力ポート２２ａに対応するＭＬＤＸ表示部２４ａに、伝送路側ＳＦＰ用表示部１８ａに表示したのと同じ光モジュール情報を表示させる。例えば、伝送路側ＳＦＰ用表示部１８ａに「１５１０ｎｍ」と表示させた場合、ＭＬＤＸ表示部２４ａにも「１５１０ｎｍ」と表示させる。
【００３８】
上述のような構成に代えて、監視制御装置３０は以下のように構成されてもよい。本構成では、記憶部３８には予め光モジュール情報は書き込まれていない。光インタフェース装置１０ａに伝送路側ＳＦＰ１４ａが実装された場合、まず、制御部３９は伝送路側ＳＦＰ１４ａが保持する光モジュール情報を読みにいく。その後、制御部３９は、伝送路側ＳＦＰ１４ａから取得した光モジュール情報を記憶部３８に記憶させる。そして、制御部３９は、記憶部３８に記憶された光モジュール情報に基づいて、伝送路側ＳＦＰ用表示部１８ａおよびＭＬＤＸ表示部２４ａに例えば波長を表示させる。制御部３９は、例えばネットワーク管理者による操作部３７の操作により、波長以外の光モジュール情報を伝送路側ＳＦＰ用表示部１８ａにサイクリックに表示させる。
【００３９】
監視制御装置３０をこのような構成とすることで、外部制御端末により記憶部３８に予め光モジュール情報を設定する作業が不要となる。また、記憶部３８に光モジュール情報を記憶させる構成をとすることにより、ＳＦＰが故障した場合に光モジュール情報の表示が出来なくなる事態を回避できる。
【００４０】
以上説明したように、本実施形態に係る波長分割多重光伝送装置１００においては、光インタフェース装置にＳＦＰが実装された場合、該ＳＦＰの光モジュール情報が装置前面に設けられた表示部に視覚的に表示される。これにより、ネットワーク管理者は、従来のように外部制御端末を操作することなしに、光インタフェース装置のスロットに現在挿入されているＳＦＰの波長などを即座に確認することができる。本実施形態によれば、例えばある波長のＳＦＰを交換する場合に、どのＳＦＰを光インタフェース装置から取り外せばよいか一目瞭然である。従って、誤ったＳＦＰが実装される事態を回避することができる。
【００４１】
また、本実施形態においては、ＭＬＤＸ２０にもＭＬＤＸ表示部を設けたことにより、どの入出力ポートにどの伝送路側ＳＦＰが接続されているか一目瞭然である。従って、誤って光ファイバが接続される事態を回避することができる。
【００４２】
このように本実施形態に係る波長分割多重光伝送装置１００によれば、波長分割多重光伝送装置１００の保守性を向上することができる。
【００４３】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４４】
例えば、上述の実施形態では、光インタフェース装置およびＭＬＤＸに表示部を設けたが、監視制御装置に各光インタフェース装置に実装された光モジュールの光モジュール情報を表示するための表示部を設けてもよい。この場合、例えばボタンの押下によりサイクリックに各ＳＦＰの光モジュール情報が表示されるよう構成することで、複数のＳＦＰの光モジュール情報を例えば１つの表示部で表示することができる。また、監視制御装置に設けられた表示部を用いて、監視制御装置に搭載されるファームウェアのバージョンなどを表示することができる。
【００４５】
また、上述の実施形態では、プラガブル光モジュールとしてＳＦＰを用いる実施形態について説明したが、プラガブル光モジュールはＳＦＰに限定されず、ＸＦＰやＸＥＮＰＡＫ（10Gigabit Ethernet transceiver package）など任意のプラガブル光モジュールが用いられてもよい。
【００４６】
また、上述の実施形態では、波長分割多重光伝送装置について説明したが、本発明は、波長分割多重光伝送装置だけでなく、プラガブル光モジュールを用いるものであればＳＯＮＥＴ光伝送装置、ＳＤＨ光伝送装置など任意の光伝送装置に適用することができる。
【符号の説明】
【００４７】
１０ａ〜１０ｄ  光インタフェース装置、  １２ａ〜１２ｄ  クライアント側ＳＦＰ、  １４ａ〜１４ｄ  伝送路側ＳＦＰ、  １６ａ〜１６ｄ  クライアント側ＳＦＰ用表示部、  １８ａ〜１８ｄ  伝送路側ＳＦＰ用表示部、  ２０  ＭＬＤＸ、  ２２ａ〜２２ｄ  入出力ポート、  ２４ａ〜２４ｄ  ＭＬＤＸ表示部、  ２６  ＷＤＭ伝送路用ポート、  ３０  監視制御装置、  ３７  操作部、  ３８  記憶部、  ３９  制御部、  ４０  外部制御端末、  １００  波長分割多重光伝送装置。
【産業上の利用可能性】
【００４８】
本発明は、挿抜可能な光モジュールを用いた光伝送装置に利用することができる。
【図１】
2011096020.tif 000003
【図２】
2011096020.tif 000004
【図３】
2011096020.tif 000005
【国際調査報告】
2011096020.tif 000006
2011096020.tif 000007
2011096020.tif 000008
2011096020.tif 000009